(57)【要約】【課題】  イージーダイレクトキーとＯＬＣバックライト照明キーを別々に実装するとカメラの操作部材が多くなり操作性が悪くなるという問題があった。  また、そのＯＬＣバックライトキーで照明が操作される表示部（ＯＬＣディスプレイ）については、外部装置やプリンタと通信中に有効な活用がなされていなかった。【解決手段】  イージーダイレクトキーとＯＬＣバックライトキーを共通にし、ＵＳＢが挿されダイレクトプリントモードに入っているときはイージーダイレクトキー、そうでないときはＯＬＣバックライト照明キーとして動作する。  また、プリンタなどの外部装置と通信中は、上記の表示部（ＯＬＣディスプレイ）を有効に活用するとともに、その表示部に関する操作部も有効活用する。【選択図】  図３
2006222536.tif 000002
【特許請求の範囲】
【請求項１】
撮影された画像データを表示可能な第１表示部と、
各種設定情報を表示する第２表示部と、
前記第２表示部の照明を操作する照明操作部と、
外部装置と通信する通信部とを有し、
前記外部装置と通信時には、前記照明操作部への操作に応じて、前記外部装置への画像転送を可能たらしめたことを特徴とする撮像装置。
【請求項２】
さらに、前記外部装置と通信時に、前記第１表示部に表示されている画像を、前記照明操作部への操作に応じて前記外部装置へ転送することを特徴とする請求項１に記載の撮像装置。
【請求項３】
さらに、前記外部装置はプリンタであることを特徴とする請求項１または２に記載の撮像装置。
【請求項４】
前記プリンタと通信時には、前記第２表示部には、プリント設定情報を表示することを特徴とする請求項３に記載の撮像装置。
【請求項５】
前記プリンタがプリント中は、前記第２表示部にプリントの進捗を表示することを特徴とする請求項３または４に記載の撮像装置。
【請求項６】
前記プリンタがプリント中は、前記第１表示部の表示を低消費電力状態とすることを特徴とする請求項３ないし５のいずれか１項に記載の撮像装置。
【請求項７】
前記プリンタと通信時は前記第２表示部の照明は点灯状態とすることを特徴とする請求項３ないし６のいずれか１項に記載の撮像装置。
【請求項８】
撮影された画像データを表示可能な第１表示部と、
各種設定情報を表示する第２表示部と、
前記第２表示部の照明を操作する照明操作部と、
外部装置と通信する通信部とを有する撮像装置の制御方法であって、
前記通信部を介して前記外部装置と通信する通信工程と、
前記通信工程による通信の開始後、前記照明操作部への操作により、前記外部装置への画像転送を可能たらしめた操作工程とを有することを特徴とする撮像装置。
【請求項９】
前記操作工程では、前記外部装置と通信時に、前記第１表示部に表示されている画像を、前記照明操作部への操作に応じて前記外部装置へ転送することを特徴とする請求項８に記載の制御方法。
【請求項１０】
前記外部装置はプリンタであり、前記プリンタと通信時には、前記第２表示部には、プリント設定情報を表示することを特徴とする請求項８ないし９に記載の制御方法。
【請求項１１】
前記外部装置はプリンタであり、前記プリンタと通信時には、前記第２表示部には、プリントの進捗を表示することを特徴とする請求項８ないし１０に記載の制御方法。
【請求項１２】
請求項８に記載の制御方法を、撮像装置内臓のコンピュータが読み込むことで実行することが可能なプログラム。
【請求項１３】
請求項１２に記載の制御方法を撮像装置内臓のコンピュータが実行可能にするプログラムを記憶する記憶媒体。
【発明の詳細な説明】
【技術分野】
【０００１】
本発明はデジタルカメラの操作に関するものである。
【背景技術】
【０００２】
従来から、印画用紙として感熱型の用紙を用い、主走査方向に配列された複数個の発熱体を選択的に駆動して、用紙を副走査方向に搬送することで、用紙にドットライン状に印画を行うライン熱転写方式のプリンタがある。
【０００３】
近年、画像入力側としてのデジタルカメラやデジタルビデオカメラまたはスキャナなどの画像を扱う入力機器の進歩に伴い、プリント手段として熱転写方式のプリンタも注目されている。その理由は、インクジェットプリンタが、液滴を飛ばすか飛ばさないか、という２値の選択しかないために、小さな液滴を用紙へ着弾させて、誤差拡散等の手法でみかけの解像度と階調性を得ようとするのに対して、熱転写方式のプリンタの場合には、一つの画素において、制御可能な熱の値を容易に変更できるため、一つの画素に対する階調性を多く取ることが可能になるので、インクジェットプリンタに比べて滑らかで高画質な画像を得ることができるという点が上げられる。また、熱転写方式のプリンタは、サーマルヘッドの性能や用紙材料の性能も向上したために、仕上がり品位で銀塩写真にも見劣りしない画像プリントを得ることが可能になっており、近年のデジタルカメラの進歩に歩調を合わせるように、特に自然画像用のプリンタとして注目されている。
【０００４】
そこで、こうしたプリンタ装置とデジタルカメラやデジタルビデオカメラなどの撮像装置を直接的に接続したり、または一体的に構成したりして、撮影された画像情報をコンピュータなどの画像情報を処理する機器を介すことなくプリントするシステムも登場している。（特許文献１参照）
【０００５】
以下、デジタルカメラとプリンタ装置とを接続ケーブル等で接続したプリントシステムにおける画像処理を具体的に説明する。デジタルカメラで撮影された画像は一旦、デジタルカメラが備える記録媒体に保存される。この画像をプリンタ装置からプリントアウトする為には、まずデジタルカメラの液晶表示部に表示された記録媒体内の画像を、デジタルカメラの操作部を操作することによって画像を選択し、ユーザはデジタルカメラを専用のケーブル（ＵＳＢケーブル）を介してプリンタ装置に接続し、ダイレクトプリントモードに入る。
【０００６】
ダイレクトプリントモードに入った後、例えばカメラに備えられている専用のプリントボタン（イージーダイレクトボタン）を１回押すだけで、接続されたプリンタがプリント用の画像処理機能を有していなければ、デジタルカメラ内でプリント用の画像処理が実行される。画像処理が終了したプリント用データがプリンタ装置に転送されると、そのプリンタ用データに基づいてプリント出力処理が行われる。
【０００７】
接続されたプリンタがプリント用の画像処理機能を有していれば、の場合にはＪＰＥＧ圧縮された画像の転送が開始され、プリンタがそれを用いてプリントデータに変換し、印刷される。
【０００８】
一方、露出やシャッタースピードなどの各種情報を表示する表示部（ＯＬＣディスプレイ）のバックライトをつけるためにＯＬＣバックライト照明キーを、上記のイージーダイレクトボタンとは別にキーを設けていた。
【特許文献１】特開２００３−２８０８４８号公報
【発明の開示】
【発明が解決しようとする課題】
【０００９】
しかしながら、このイージーダイレクトキーとＯＬＣバックライト照明キーを別々に実装するとカメラの操作部材が多くなり操作性が悪くなるという問題があった。
【００１０】
また、そのＯＬＣバックライトキーで照明が操作される表示部（ＯＬＣディスプレイ）については、外部装置やプリンタと通信中に有効な活用がなされていなかった。
【課題を解決するための手段】
【００１１】
そこでイージーダイレクトキーとＯＬＣバックライトキーを共通にし、ＵＳＢが挿されダイレクトプリントモードに入っているときはイージーダイレクトキー、そうでないときはＯＬＣバックライト照明キーとして動作する。
【００１２】
また、プリンタなどの外部装置と通信中は、上記の表示部（ＯＬＣディスプレイ）を有効に活用するとともに、その表示部に関する操作部も有効活用することを目的とする。
【発明の効果】
【００１３】
本発明によれば、したようにイージーダイレクトキーとＯＬＣバックライトキーを兼用し、ダイレクトプリントモードに入っているときはイージーダイレクトキー、入っていないときはＯＬＣバックライトキーとして動作させることにより、デジタルカメラの操作性を良くした。
【００１４】
また、プリンタなどの外部装置と通信中は、上記の表示部（ＯＬＣディスプレイ）を有効に活用するとともに、その表示部に関する操作部（ＯＬＣバックライトキー）も有効活用することができる。
【００１５】
さらには、外部機器に接続中は、画像表示ディスプレイと低消費電力状態にするととともに、ＯＬＣディスプレイにはプリントが画像転送の進捗を表示することで、低消費電力をある程度維持しながらも、プリントや画像転送の進捗を確認することが出来る。
【発明を実施するための最良の形態】
【００１６】
図１に一眼レフデジタルカメラの背面図を示す。この図を用い一眼レフカメラの操作部材を説明する。１３０は、撮影画像のサムネイル画像を表示させる画像表示ディスプレイである。プリンタと通信しているときは、プリント設定等を行うためにも利用される。画像表示ディスプレイの背面には、バックライトが備えられている。１０１は、ＴＦＴにＭＥＮＵを表示させるＭＥＮＵキー、１０２は撮影設定情報を表示させるＩＮＦＯキー、１０３はメニュー画面でタブを変更、画像再生画面で１０枚ジャンプをするＪＵＭＰキー、１０４は撮影画像のサムネイル画像を表示させる再生キー、１０５は記録した画像を削除する消去キー、１０６は測光モードを選択する測光モードキー、またはＴＦＴに表示された選択キーを左に移動させる左キー、１０７はＷＢモードを選択するＷＢモードキー、またはＴＦＴに表示された選択キーを下に移動させる下キー、１０８はＡＦモードを選択するＡＦモードキー、またはＴＦＴに表示された選択キーを右に移動させる右キー、１０９はＩＳＯを選択するＩＳＯキー、またはＴＦＴに表示された選択キーを上に移動させる上キー、１１０はＴＦＴに表示された選択キーを決定するセットキー、１１１は測距点を選択する測距点選択キー、またはダイレクトプリントのトリミングを行う際の拡大を行う場合に使用する拡大キー、１１２はＡＥロックを設定するＡＥロックキー、またはダイレクトプリントのトリミングを行う際の縮小を行う場合に使用する縮小キー、１１３は電源のＯＮ、ＯＦＦを行うメインスイッチ、１１４は撮影モードを選択する撮影モードダイヤル、１１５は露出値を決定するＡＶ±キー、１１６はドライブモードを選択するドライブモードキー、１１７はＡＶ値、ＴＶ値、撮影可能枚数、測光モード、撮影画像モード、ホワイトバランス、露出値、バッテリ残量、ＡＦモード、ドライブモードなどの各種の撮影条件、カメラの動作状況等を表示する表示部（ＯＬＣディスプレイ）、１１８はＯＬＣディスプレイのバックライトキー、プリンタまたは外部のコンピュータと接続中は、これを押すとダイレクトプリント等のために画像の転送処理を開始するイージーダイレクトキー、１１９はプリンタに画像データを転送するＵＳＢケーブル、１２０はデジタルカメラから送られた画像ファイルを紙に出力するプリンタである。
【００１７】
以下に示す実施例を実行するためのプログラムモジュールは、カメラに内蔵するメモリ（不図示）に格納されており、カメラに内蔵されるコンピュータがそのプログラムモジュールを読み込み実行することで実現するものとしている。もちろん専用のハードウェア回路によって、下記の制御方法を実行するようにしても良い。
【００１８】
図２に一眼レフデジタルカメラの前面図を示す。この図を用い一眼レフカメラの操作部材を説明する。２０１は各種設定を行うメイン電子ダイヤル、２０２は撮影を行うレリーズキー、２０３はリモコンのデータを受信するリモコン受光部、２０４は赤目緩和を行い、またセルフタイマ時点灯させる赤目緩和／セルフタイマランプ、２０５は押すと絞りこみを行う絞り込みキー、２０６はレンズロックの解除を行うレンズロック解除キー、２０７はストロボをポップアップさせるストロボキー、２０８は実際にストロボを光らせる内蔵ストロボである。
【００１９】
図３にイージーダイレクトキーとＯＬＣバックライトボタンの動作に関して説明する。まずＵＳＢをカメラに接続する（Ｓ３０１）。次にカメラがダイレクトプリントモードに入っているかどうか判別する（Ｓ３０２）。なお、ＵＳＢを介してプリンタと通信が確立されると、ダイレクトプリントモードに移行する。また、このときカメラは、メモリカードに保存されている画像を再生して、ＯＬＣディスプレイとは別の画像表示ディスプレイに表示する。ダイレクトプリントモードに入っている場合には、イージーダイレクトキー、ＯＬＣバックライトキーの兼用キーをイージーダイレクトキーとして使用する（Ｓ３０３）。画像表示部に表示されている画像をプリント使用する場合には、画像表示ディスプレイに所望の画像を表示した状態で、イー時ダイレクトキーを押下する。イージーダイレクトキーが押された（Ｓ３０４）場合には、印刷を開始すべく、プリンタへ画像の転送処理を行う（３０５）。ダイレクトプリントモードに入っていない場合には、イージーダイレクトキー、ＯＬＣバックライトキーの兼用キーをＯＬＣバックライトキーとして使用する（Ｓ３０６）。その後、ＯＬＣバックライトキーが押された（Ｓ３０７）場合には、ＯＬＣバックライトを点灯させる（Ｓ３０８）。
【００２０】
なお、プリンタとの通信が確立している場合には、ＯＬＣバックライトキーとして機能しないため、ＯＬＣディスプレイは、常時点灯とすると、ダイレクトプリントモード中でもＯＬＣディスプレイを活用する場合に有用である。
【００２１】
また、ＯＬＣディスプレイは、撮影モードや，画像再生モード時などはシャッタースピードや露出の調整値など、各種の撮影情報、カメラの動作条件等を表示している。しかし、プリンタ接続中は、プリント設定メニューや、プリント設定の内容を表示する用にする。
【００２２】
また、プリント中は、画像表示ディスプレイ１３０は、バックライトを消灯したり、画像表示ＯＦＦにすることで、低消費電力を実現することが出来る。
【００２３】
そしてその状態において、ＯＬＣディスプレイをプリントの進捗表示または、プリントエラーの表示に利用することが可能である。一般的に、画像表示ディスプレイ１３０はカラー液晶表示装置が用いられており、その駆動電力やバックライトの消費電力はかなり大きい。一方、OLCディスプレイでは、文字や記号を、二値のモノクロ液晶表示することが多く、たとえ多階調表示が可能であっても画像表示ディスプレイよりは消費電力が少ない。そのため、上記のような実装形態にすると、低消費電力をある程度維持したまま、プリント状況の確認を行うことが出来る。
【００２４】
上記の説明においては外部機器としてプリンタを用いた場合で説明したが、例えばパーソナルコンピュータなどに通信する場合には、イージーダイレクトキーを、パーソナルコンピュータへ画像を送信するためのボタンとして活用してもよい。
【００２５】
＜他の実施形態＞
以上、実施形態例を詳述したが、本発明は、例えば、システム、装置、方法、プログラム若しくは記憶媒体等としての実施態様をとることが可能であり、具体的には、複数の機器から構成されるシステムに適用しても良いし、また、一つの機器からなる装置に適用しても良い。
【００２６】
尚、本発明は、前述した実施形態の機能を実現するソフトウェアのプログラム（実施形態では図に示すフローチャートに対応したプログラム）を、各装置に直接或いは遠隔から供給し、その装置の処理部が該供給されたプログラムコードを読み出して実行することによっても達成される場合を含む。
【００２７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００２８】
その場合、プログラムの機能を有していれば、オブジェクトコード、インタプリタにより実行されるプログラム、ＯＳに供給するスクリプトデータ等の形態であっても良い。
【００２９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３０】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００３１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００３３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００３４】
【図１】一眼レフデジタルカメラの背面図
【図２】一眼レフデジタルカメラの前面図
【図３】イージーダイレクトキー、ＯＬＣバックライトキーの動作フローチャート
【図１】
2006222536.tif 000003
【図２】
2006222536.tif 000004
【図３】
2006222536.tif 000005